(57)【要約】  表示面に画像が表示されるディスプレイと、ディスプレイにおける表示面の反対の面側に配置されるバックシャーシと、ディスプレイ及びバックシャーシの外周側に配置された保持体とを備え、保持体は、ディスプレイと直交する方向を向く平板部と、平板部の厚み方向における一方の面に設けられた第１の結合部と、平板部の厚み方向における一方の面に設けられた第２の結合部とを有し、ディスプレイにおける表示面の反対側の面の外周部に第１の結合部と結合される第１の部材が取り付けられ、バックシャーシの外周部に第２の結合部と結合される第２の部材が取り付けられた。
2014069267.tif 000002
【特許請求の範囲】
【請求項１】
表示面に画像が表示されるディスプレイと、
前記ディスプレイにおける表示面の反対の面側に配置されるバックシャーシと、
前記ディスプレイ及び前記バックシャーシの外周側に配置された保持体とを備え、
前記保持体は、前記ディスプレイと直交する方向を向く平板部と、前記平板部の厚み方向における一方の面に設けられた第１の結合部と、前記平板部の厚み方向における一方の面に設けられた第２の結合部とを有し、
前記ディスプレイにおける表示面の反対側の面の外周部に前記第１の結合部と結合される第１の部材が取り付けられ、
前記バックシャーシの外周部に前記第２の結合部と結合される第２の部材が取り付けられた
表示装置。
【請求項２】
前記第２の部材が磁性材料によって形成され、
前記第２の結合部としてマグネットが用いられた
請求項１に記載の表示装置。
【請求項３】
前記第１の部材に結合用凹部が形成され、
前記第１の結合部が前記結合用凹部に挿入されて結合される突状に形成された
請求項１に記載の表示装置。
【請求項４】
前記保持体の平板部と前記ディスプレイの外周部との間に前記ディスプレイの外周部に押し付けられるクッションが配置された
請求項１に記載の表示装置。
【請求項５】
前記バックシャーシとして平板状のガラスが用いられた
請求項１に記載の表示装置。
【請求項６】
前記保持体の少なくとも平板部がアルミニウムによって形成された
請求項１に記載の表示装置。
【請求項７】
前記ディスプレイに対してバックライトを照射する光源を有する光源ユニットと、
前記光源ユニットにおいて発生する熱を放出する放熱部材とが設けられ、
前記放熱部材に前記バックシャーシを受ける受け突部が設けられた
請求項１に記載の表示装置。
【請求項８】
前記ディスプレイと前記バックシャーシの間に光学シートを有する光学体が配置され、
前記第２の部材に挿入空間が形成され、
前記光学体が前記バックシャーシに対してスライドされ外周部が前記挿入空間に挿入されて前記ディスプレイとバックシャーシの間に配置された
請求項１に記載の表示装置。
【請求項９】
前記保持体に取り付けられるボトムフレームが設けられ、
前記ボトムフレームによって前記ディスプレイが押さえられるようにした
請求項１に記載の表示装置。
【発明の詳細な説明】
【技術分野】
【０００１】
本技術は、表示装置についての技術分野に関する。詳しくは、ディスプレイとバックシャーシを有する薄型の表示装置についての技術分野に関する。
【先行技術文献】
【特許文献】
【０００２】
【特許文献１】特開２００７−３３４２４４号公報
【背景技術】
【０００３】
テレビジョン受像器やパーソナルコンピューター等の表示装置には、画像が表示される表示面を有するディスプレイが設けられ、ディスプレイの背面側にバックシャーシが配置され、ディスプレイが枠状のベゼルに取り付けられたものがある（例えば、特許文献１参照）。【０００４】
特許文献１に記載された表示装置にあっては、ディスプレイを外周側から保持するベゼルが前後方向を向く板状に形成され、ベゼルの後面にディスプレイが取り付けられ、ディスプレイの後面にバックシャーシが配置されて構成されている。
【発明の概要】
【０００５】
ところが、特許文献１に記載された表示装置にあっては、枠状のベゼルが前後方向を向く板状に形成されているため、外形が大きく小型化を阻害するという問題がある。
【０００６】
また、ディスプレイがベゼルの後面側に取り付けられているため、その分、前後方向における厚みが厚く、十分な薄型化が図られていないと言う問題もある。
【０００７】
そこで、小型化及び薄型化を図ることが望ましい。
【０００８】
第１に、本技術の一実施の形態の表示装置は、表示面に画像が表示されるディスプレイと、前記ディスプレイにおける表示面の反対の面側に配置されるバックシャーシと、前記ディスプレイ及び前記バックシャーシの外周側に配置された保持体とを備え、前記保持体は、前記ディスプレイと直交する方向を向く平板部と、前記平板部の厚み方向における一方の面に設けられた第１の結合部と、前記平板部の厚み方向における一方の面に設けられた第２の結合部とを有し、前記ディスプレイにおける表示面の反対側の面の外周部に前記第１の結合部と結合される第１の部材が取り付けられ、前記バックシャーシの外周部に前記第２の結合部と結合される第２の部材が取り付けられたものである。
【０００９】
従って、本技術の一実施の形態の表示装置にあっては、ディスプレイと直交する方向を向く平板部を有する保持体の第１の結合部と第２の結合部にそれぞれディスプレイに取り付けられた第１の部材とバックシャーシに取り付けられた第２の部材とが結合される。
【００１０】
第２に、本技術の一実施の形態の表示装置においては、前記第２の部材が磁性材料によって形成され、前記第２の結合部としてマグネットが用いられることが望ましい。
【００１１】
第２の部材が磁性材料によって形成され、第２の結合部としてマグネットが用いられることにより、第２の結合部が第２の部材に吸着されて両者が結合される。
【００１２】
第３に、本技術の一実施の形態の表示装置においては、前記第１の部材に結合用凹部が形成され、前記第１の結合部が前記結合用凹部に挿入されて結合される突状に形成されることが望ましい。
【００１３】
第１の部材に結合用凹部が形成され、第１の結合部が結合用凹部に挿入されて結合される突状に形成されることにより、結合用凹部に第１の結合部が挿入されることによりディスプレイが保持体に保持される。
【００１４】
第４に、本技術の一実施の形態の表示装置においては、前記保持体の平板部と前記ディスプレイの外周部との間に前記ディスプレイの外周部に押し付けられるクッションが配置されることが望ましい。
【００１５】
保持体の平板部とディスプレイの外周部との間にディスプレイの外周部に押し付けられるクッションが配置されることにより、ディスプレイがクッションによって保護される。
【００１６】
第５に、本技術の一実施の形態の表示装置においては、前記バックシャーシとして平板状のガラスが用いられることが望ましい。
【００１７】
バックシャーシとして平板状のガラスが用いられることにより、バックシャーシを薄く形成した場合においても高い強度が確保される。
【００１８】
第６に、本技術の一実施の形態の表示装置においては、前記保持体の少なくとも平板部がアルミニウムによって形成されることが望ましい。
【００１９】
保持体の少なくとも平板部がアルミニウムによって形成されることにより、保持体の高い強度を確保した上での軽量化が図られる。
【００２０】
第７に、本技術の一実施の形態の表示装置においては、前記ディスプレイに対してバックライトを照射する光源を有する光源ユニットと、前記光源ユニットにおいて発生する熱を放出する放熱部材とが設けられ、前記放熱部材に前記バックシャーシを受ける受け突部が設けられることが望ましい。
【００２１】
ディスプレイに対してバックライトを照射する光源を有する光源ユニットと、光源ユニットにおいて発生する熱を放出する放熱部材とが設けられ、放熱部材にバックシャーシを受ける受け突部が設けられることにより、放熱部材が光源ユニットにおいて発生する熱を放出する機能とバックシャーシの荷重を受ける機能との双方の機能を有する。
【００２２】
第８に、本技術の一実施の形態の表示装置においては、前記ディスプレイと前記バックシャーシの間に光学シートを有する光学体が配置され、前記第２の部材に挿入空間が形成され、前記光学体が前記バックシャーシに対してスライドされ外周部が前記挿入空間に挿入されて前記ディスプレイとバックシャーシの間に配置されることが望ましい。
【００２３】
ディスプレイとバックシャーシの間に光学シートを有する光学体が配置され、第２の部材に挿入空間が形成され、光学体がバックシャーシに対してスライドされ外周部が挿入空間に挿入されてディスプレイとバックシャーシの間に配置されることにより、光学体を位置決めする専用の部材を設けることなく光学体が所定の位置に配置される。
【００２４】
第９に、本技術の一実施の形態の表示装置においては、前記保持体に取り付けられるボトムフレームが設けられ、前記ボトムフレームによって前記ディスプレイが押さえられることが望ましい。
【００２５】
保持体に取り付けられるボトムフレームが設けられ、ボトムフレームによってディスプレイが押さえられることにより、ボトムフレームが保持体に取り付けられた状態においてボトムフレームによってディスプレイが押さえられる。
【００２６】
本技術の一実施の形態の表示装置は、表示面に画像が表示されるディスプレイと、前記ディスプレイにおける表示面の反対の面側に配置されるバックシャーシと、前記ディスプレイ及び前記バックシャーシの外周側に配置された保持体とを備え、前記保持体は、前記ディスプレイと直交する方向を向く平板部と、前記平板部の厚み方向における一方の面に設けられた第１の結合部と、前記平板部の厚み方向における一方の面に設けられた第２の結合部とを有し、前記ディスプレイにおける表示面の反対側の面の外周部に前記第１の結合部と結合される第１の部材が取り付けられ、前記バックシャーシの外周部に前記第２の結合部と結合される第２の部材が取り付けられている。
【００２７】
従って、保持体にディスプレイと直交する方向を向く平板部が設けられているため、表示装置の外形が小さく小型化を図ることができる。
【００２８】
また、同一の面に設けられた第１の結合部と第２の結合部を有する保持体に第１の部材及び第２の部材を介してディスプレイとバックシャーシが保持されるため、表示装置の厚みが薄く、表示装置の薄型化を図ることができる。
【００２９】
本技術の一実施の形態にあっては、前記第２の部材が磁性材料によって形成され、前記第２の結合部としてマグネットが用いられている。
【００３０】
従って、保持体の構造の簡素化を図ることができると共に第２の部材と第２の結合部を簡単かつ確実に結合することができる。
【００３１】
本技術の一実施の形態にあっては、前記第１の部材に結合用凹部が形成され、前記第１の結合部が前記結合用凹部に挿入されて結合される突状に形成されている。
【００３２】
従って、結合用凹部に第１の結合部が挿入されることによりディスプレイが保持体に保持され、表示装置の構造の簡素化及びディスプレイと保持体の結合作業における作業性の向上を図ることができる。
【００３３】
本技術の一実施の形態にあっては、前記保持体の平板部と前記ディスプレイの外周部との間に前記ディスプレイの外周部に押し付けられるクッションが配置されている。
【００３４】
従って、ディスプレイの破損を防止することができると共にディスプレイと保持体の間からの表示装置の内部への塵埃の侵入を防止することができる。
【００３５】
本技術の一実施の形態にあっては、前記バックシャーシとして平板状のガラスが用いられている。
【００３６】
従って、バックシャーシを薄く形成した場合においても高い強度が確保され、表示装置の強度の向上及び薄型化を図ることができる。
【００３７】
本技術の一実施の形態にあっては、前記保持体の少なくとも平板部がアルミニウムによって形成されている。
【００３８】
従って、高い強度を確保した上で軽量化を図ることができ、表示装置の全体の強度の向上及び軽量化を図ることができる。
【００３９】
本技術の一実施の形態にあっては、前記ディスプレイに対してバックライトを照射する光源を有する光源ユニットと、前記光源ユニットにおいて発生する熱を放出する放熱部材とが設けられ、前記放熱部材に前記バックシャーシを受ける受け突部が設けられている。
【００４０】
従って、放熱部材が光源ユニットにおいて発生する熱を放出する機能とバックシャーシの荷重を受ける機能との双方の機能を有するため、部品点数の削減による薄型化を図った上で良好な放熱性能とバックシャーシの安定した配置状態を確保することができる。
【００４１】
本技術の一実施の形態にあっては、前記ディスプレイと前記バックシャーシの間に光学シートを有する光学体が配置され、前記第２の部材に挿入空間が形成され、前記光学体が前記バックシャーシに対してスライドされ外周部が前記挿入空間に挿入されて前記ディスプレイとバックシャーシの間に配置されている。
【００４２】
従って、光学体を位置決めする専用の部材を設けることなく光学体が所定の位置に配置され、部品点数の削減及び作業性の向上を図ることができる。
【００４３】
本技術の一実施の形態にあっては、前記保持体に取り付けられるボトムフレームが設けられ、前記ボトムフレームによって前記ディスプレイが押さえられるようにしている。
【００４４】
従って、ディスプレイを安定した状態で配置することができる。
【図面の簡単な説明】
【００４５】
【図１】図２乃至図２３と共に本技術の一実施の形態の表示装置を示すものであり、本図は、表示装置の斜視図である。
【図２】表示装置の分解斜視図である。
【図３】一部を示す拡大断面図である。
【図４】ディスプレイに第１の部材が取り付けられた状態を示す拡大斜視図である。
【図５】バックシャーシに取付板と第２の部材が取り付けられた状態を示す斜視図である。
【図６】バックシャーシに取り付けられた状態で示す第２の部材の一部を示す拡大斜視図である。
【図７】保持体の分解斜視図である。
【図８】保持体とクッションの拡大断面図である。
【図９Ａ】第１の結合部と第１の部材及び第２の結合部と第２の部材が結合される前の状態を示す拡大断面図である。
【図９Ｂ】第１の結合部と第１の部材及び第２の結合部と第２の部材が結合される前の状態を示す拡大断面図である。
【図１０】第１の結合部と第１の部材及び第２の結合部と第２の部材が結合された状態を示す拡大断面図である。
【図１１】光学体が第２の部材に対してスライドされる前の状態を示す斜視図である。
【図１２】光学体が第２の部材に対してスライドされバックシャーシの前面側に配置された状態を示す斜視図である。
【図１３】光学体が押さえ部材によって押さえられる前の状態を示す拡大斜視図である。
【図１４】光学体が押さえ部材によって押さえられた状態を示す拡大斜視図である。
【図１５】光学体が押さえ部材によって押さえられた状態を示す拡大断面図である。
【図１６】放熱部材がバックシャーシに取り付けられる前の状態を示す斜視図である。
【図１７】放熱部材がバックシャーシに取り付けられた状態を示す拡大斜視図である。
【図１８Ａ】放熱部材にミドルシャーシが取り付けられる前の状態を示す拡大斜視図である。
【図１８Ｂ】放熱部材にミドルシャーシが取り付けられる前の状態を示す拡大斜視図である。
【図１９】放熱部材にミドルシャーシが取り付けられた状態を示す拡大斜視図である。
【図２０】放熱部材にミドルシャーシが取り付けられた状態を図１９とは異なる方向から見た状態で示す拡大斜視図である。
【図２１】放熱部材にシールド板が取り付けられた状態を示す拡大斜視図である。
【図２２】ボトムフレームが取付部材に取り付けられる前の状態を示す拡大斜視図である。
【図２３】ボトムフレームが取付部材に取り付けられた状態を示す拡大斜視図である。
【発明を実施するための最良の形態】
【００４６】
以下に、本技術の一実施の形態の表示装置を実施するための最良の形態を添付図面に従って説明する。【００４７】
以下に示した最良の形態は、本技術の一実施の形態の表示装置を、ディスプレイに画像を表示するテレビジョン受像器に適用したものである。【００４８】
尚、本技術の一実施の形態の適用範囲はテレビジョン受像器に限られることはなく、パーソナルコンピューター等に用いられるモニター等の各種の表示装置に広く適用することができる。【００４９】
［表示装置の構成］
表示装置（テレビジョン受像器）１は、例えば、横長の扁平な略矩形状に形成され、画像が表示されるディスプレイ２とディスプレイ２の後方に配置されたバックシャーシ３とディスプレイ２及びバックシャーシ３の外周側に配置された保持体４とを有している（図１乃至図３参照）。【００５０】
ディスプレイ２は前後方向を向く板状に形成され、例えば、前後に接合されたガラス板２ａ、２ｂとガラス板２ａの前面に貼り付けられた第１の偏光板２ｃとガラス板２ｂの後面に貼り付けられた第２の偏光板２ｄとによって構成されている。第１の偏光板２ｃはガラス板２ａより一回り小さくされ、ガラス板２ａの外周部以外の部分に貼り付けられている。第２の偏光板２ｄは第１の偏光板２ｃより一回り小さくされ、ガラス板２ｂの外周部以外の部分に貼り付けられている。【００５１】
ディスプレイ２は前面のうち第２の偏光板２ｄに略対応する領域が、画像が表示される表示面２ｅとされている。【００５２】
ディスプレイ２のガラス板２ｂの後面における上端部と左右両端部には第１の部材５、５、・・・が左右又は上下に離隔して取り付けられている（図４参照）。第１の部材５は横長又は縦長の形状に形成され、接着等によってガラス板２ｂに取り付けられている。第１の部材５は左右方向又は上下方向における中央部に、上下に貫通された結合用凹部５ａを有し、左右両側の部分又は上下両側の部分がガラス板２ｂに取り付けられている。【００５３】
バックシャーシ３は、例えば、ガラスによって平板状に形成されている。【００５４】
このようにバックシャーシ３として平板状のガラスが用いられることにより、バックシャーシ３を薄く形成した場合においても高い強度が確保され、表示装置１の強度の向上及び薄型化を図ることができる。【００５５】
バックシャーシ３の下方側の部分には軸挿通孔３ａ、３ａ、・・・が形成されている（図２参照）。バックシャーシ３の下方側の部分には第１の取付板６と第２の取付板７、７が接着等によって取り付けられている（図５参照）。【００５６】
第１の取付板６はバックシャーシ３の前面の左右方向における中央部に取り付けられ、螺合軸６ａ、６ａ、・・・を有している。第１の取付板６は螺合軸６ａ、６ａ、・・・がそれぞれ軸挿通孔３ａ、３ａ、・・・に挿通されバックシャーシ３から後方へ突出される。【００５７】
第２の取付板７、７はバックシャーシ３における第１の取付板６の左右両側に取り付けられ、左右両端部にそれぞれ螺合軸７ａ、７ａ、・・・を有している。第２の取付板７は螺合軸７ａ、７ａがそれぞれ軸挿通孔３ａ、３ａに挿通されバックシャーシ３から後方へ突出される。【００５８】
バックシャーシ３の前面の外周部には第２の部材８、９、９が接着等によって取り付けられている（図５及び図６参照）。【００５９】
第２の部材８は、例えば、磁性を有する金属材料が所定の形状に折り曲げられて横長の形状に形成され、左右方向の長さがバックシャーシ３の左右方向の長さより稍短くされている。第２の部材８はバックシャーシ３の上端部に取り付けられている。【００６０】
第２の部材８は前後方向を向く被取付面部１０と被取付面部１０の上端部から前方へ突出された突面部１１と突面部１１の前端部から下方へ突出された先端面部１２とから成る。第２の部材８は被取付面部１０がバックシャーシ３に取り付けられている。被取付面部１０と突面部１１と先端面部１２に囲まれた空間は挿入空間８ａとして形成され、挿入空間８ａは下方及び左右に開口されている。第２の部材８には突面部１１と先端面部１２に亘る位置に挿入配置孔８ｂ、８ｂと取付孔８ｃ、８ｃ、・・・がそれぞれ左右に離隔して形成されている。【００６１】
第２の部材９、９は、例えば、金属材料が所定の形状に折り曲げられて縦長の形状に形成され、それぞれバックシャーシ３の左右両端部に取り付けられている。第２の部材９、９は上端が第２の部材８の左右両端より稍下側に位置された状態でバックシャーシ３に取り付けられ、下端部がバックシャーシ３の下端から下方へ突出されている。【００６２】
第２の部材９は前後方向を向く被取付面部１３と被取付面部１３の外端部から前方へ突出された突面部１４と突面部１４の前端部から内方へ突出された先端面部１５とから成る。第２の部材９は被取付面部１３がバックシャーシ３に取り付けられている。被取付面部１３と突面部１４と先端面部１５に囲まれた空間は挿入空間９ａとして形成され、挿入空間９ａは内方及び上下に開口されている。第２の部材９には突面部１４と先端面部１５に亘る位置に挿入配置孔９ｂ、９ｂが上下に離隔して形成されている。【００６３】
保持体４は保持枠１６を有し、保持枠１６は、例えば、アルミニウム等の金属材料によって形成されている（図７参照）。保持枠１６は左右に延びる水平部１７と水平部１７の左右両端部からそれぞれ下方へ突出され上下に延びる垂直部１８、１８とを有している。【００６４】
水平部１７は上下方向を向く平板部１７ａと平板部１７ａの下面から下方へ突出された第１の結合部１７ｂ、１７ｂ、・・・とから成る。第１の結合部１７ｂ、１７ｂ、・・・は前後方向を向く板状に形成され、平板部１７ａの前後方向における中間部から下方へ突出され、左右に離隔して設けられている。【００６５】
垂直部１８は左右方向を向く平板部１８ａと平板部１８ａの内面（側面）から内方（側方）へ突出された第１の結合部１８ｂ、１８ｂ、・・・とから成る。垂直部１８の下端部は取付突部として設けられている。【００６６】
保持体４には第２の結合部１９、２０、２０が設けられている（図７及び図８参照）。第２の結合部１９、２０、２０としては、例えば、マグネットが用いられ、第２の結合部１９、２０、２０はそれぞれ平板部１７ａ、１８ａ、１８ａに接着等により取り付けられている。【００６７】
第２の結合部１９は左右方向に延びる形状に形成され、第２の結合部２０、２０はそれぞれ上下方向に延びる形状に形成され、それぞれ平板部１７ａの下面（内面）と平板部１８ａ、１８ａの互いに対向する面（内面）とに取り付けられている。具体的には、第２の結合部１９は第１の結合部１７ｂ、１７ｂ、・・・の後側に位置され、第２の結合部２０、２０は第１の結合部１８ｂ、１８ｂ、・・・の後側に位置されている。【００６８】
保持体４には、垂直部１８、１８の各取付突部にそれぞれ取り付けられた取付片部２１、２１が設けられている。取付片部２１、２１は垂直部１８、１８から互いに近付く方向へ突出され、上下方向に貫通された螺孔２１ａ、２１ａを有している。【００６９】
保持枠１６の内周面にはクッション２２が取り付けられている。クッション２２は、例えば、紫外線硬化型の樹脂材料によって形成され、第２の結合部１９、２０、２０の前側に接着等によって取り付けられている。【００７０】
上記のように構成された保持体４は、図９Ａ、図９Ｂ及び図１０に示すように、保持枠１６の水平部１７と垂直部１８、１８にそれぞれ設けられた第１の結合部１７ｂ、１７ｂ、・・・、１８ｂ、１８ｂ、・・・がそれぞれディスプレイ２に取り付けられた第１の部材５、５、・・・の結合用凹部５ａ、５ａ、・・・に上方又は側方から挿入され、第１の結合部１７ｂ、１７ｂ、・・・、１８ｂ、１８ｂ、・・・と第１の部材５、５、・・・が結合される。第１の結合部１７ｂ、１７ｂ、・・・、１８ｂ、１８ｂ、・・・と第１の部材５、５、・・・が結合されることにより、ディスプレイ２が保持体４に保持される。尚、第１の部材５、５、・・・は第２の部材８、９、９の挿入配置孔８ｂ、８ｂ、・・・、９ｂ、９ｂ、・・・に挿入されて配置される。【００７１】
ディスプレイ２が保持体４に保持された状態においては、保持枠１６の内周面に取り付けられたクッション２２がディスプレイ２の外周部に押し付けられて密着され、ディスプレイ２がクッション２２によって保護される。【００７２】
従って、ディスプレイ２の破損を防止することができると共にディスプレイ２と保持体４の間からの表示装置１の内部への塵埃の侵入を防止することができる。【００７３】
また、保持体４は、保持枠１６の水平部１７に取り付けられた第２の結合部１９、２０、２０がそれぞれバックシャーシ３に取り付けられた第２の部材８、９、９の突面部１１、１４、１４に外面側から吸着され、第２の結合部１９、２０、２０と第２の部材８、９、９が結合される。第２の結合部１９、２０、２０と第２の部材８、９、９が結合されることにより、バックシャーシ３が保持体４に保持される。【００７４】
上記したように、保持体４は保持枠１６がアルミニウムによって形成されているため、高い強度を確保した上で軽量化を図ることができ、表示装置１の全体の強度の向上及び軽量化を図ることができる。【００７５】
また、表示装置１にあっては、第２の部材８、９、９が磁性材料によって形成され、保持体４の第２の結合部１９、２０、２０としてマグネットが用いられているため、保持体４の構造の簡素化を図ることができると共に第２の部材８、９、９と第２の結合部１９、２０、２０を簡単かつ確実に結合することができる。【００７６】
尚、上記には、第２の部材８、９、９が磁性材料によって形成され第２の結合部１９、２０、２０としてマグネットが用いられた例を示したが、第２の部材８、９、９は磁性材料に限られることはなく、また、第２の結合部１９、２０、２０はマグネットに限られることはない。第２の部材と第２の結合部は、例えば、嵌合、係合、接着等による結合を行うことが可能な構造であればよく、例えば、結合用の孔に結合用の突部が挿入されるような構成であってもよい。【００７７】
また、第１の部材と第１の結合部においても、その構造が限定されることはなく、嵌合、係合、接着等の他、マグネットを用いた吸着等の結合を行うことが可能な構造であればよい。【００７８】
但し、上記のように、第１の部材５に結合用凹部５ａが形成され、第１の結合部１７ｂ、１８ｂが結合用凹部５ａに挿入されて結合される突状に形成される構成にされることにより、結合用凹部５ａに第１の結合部１７ｂ、１８ｂが挿入されることによりディスプレイ２が保持体４に保持され、表示装置１の構造の簡素化及びディスプレイ２と保持体４の結合作業における作業性の向上を図ることができる。【００７９】
ディスプレイ２とバックシャーシ３の間には光学体２３が配置されている（図３参照）。光学体２３は各種の光学シート等が前後方向において積層されて構成されている。光学体２３は、例えば、前側から順に反射型の偏光性シート２３ａ、プリズムシート２３ｂ、拡散シート２３ｃ、導光板２３ｄ、反射シート２３ｅが積層されて構成されている。【００８０】
光学体２３の上端部には上方へ突出された被取付片２４、２４、・・・が左右に離隔して設けられ、被取付片２４、２４、・・・にはそれぞれ被取付孔２４ａ、２４ａ、・・・が形成されている（図１１参照）。【００８１】
光学体２３はバックシャーシ３に対して下方からスライドされ、バックシャーシ３に取り付けられた第２の部材８、９、９の挿入空間８ａ、９ａ、９ａに外周部が挿入され押さえ部材２５、２５、・・・に押さえられてディスプレイ２とバックシャーシ３の間に配置される（図１１及び図１２参照）。このとき被取付片２４、２４、・・・はそれぞれ第２の部材８に形成された取付孔８ｃ、８ｃ、・・・に位置されている。【００８２】
押さえ部材２５は左右に延びるベース部２５ａとベース部２５ａの上端部における左右両端部からそれぞれ後方へ突出された突部２５ｂ、２５ｂとベース部２５ａの左右方向における中央部の下端部から後方へ突出された挿入突部２５ｃとから成る（図１３乃至図１５参照）。【００８３】
押さえ部材２５は挿入突部２５ｃが第２の部材８の取付孔８ｃに前方から挿入され、突面部１１を突部２５ｂ、２５ｂと挿入突部２５ｃによって挟持する状態で第２の部材８に取り付けられる。押さえ部材２５、２５、・・・が第２の部材８に取り付けられた状態において、挿入突部２５ｃ、２５ｃ、・・・がそれぞれ取付孔８ｃ、８ｃ、・・・を介して被取付孔２４ａ、２４ａ、・・・に挿入され、ベース部２５ａによって被取付片２４が突面部１１の前面に押し付けられることにより、光学体２３が押さえ部材２５、２５、・・・に押さえられてディスプレイ２とバックシャーシ３の間に配置される。光学体２３は下端部が第２の部材９、９から僅かに下方へ突出された状態とされる。【００８４】
上記のように、光学体２３がバックシャーシ３に対してスライドされ外周部が第２の部材８、９、９の挿入空間８ａ、９ａ、９ａに挿入されてディスプレイ２とバックシャーシ３の間に配置されることにより、光学体２３が第２の部材８、９、９に案内され位置決めされた状態で所定の位置に配置される。【００８５】
従って、光学体２３を位置決めする専用の部材を設けることなく光学体２３が所定の位置に配置され、部品点数の削減及び作業性の向上を図ることができる。【００８６】
バックシャーシ３の下端部における後面には放熱部材２６がネジ止め等によって取り付けられる（図１６及び図１７参照）。放熱部材２６は横長の厚みの薄い金属材料によって形成され、一部を除いて前後方向を向く放熱面部２７と放熱面部２７の下端部から前方へ突出された配置面部２８とを有している。【００８７】
放熱面部２７には軸挿通孔２７ａ、２７ａ、・・・が左右に離隔して形成されている。放熱面部２７には左右両端部に前方へ突出された受け突部２７ｂ、２７ｂが設けられている。放熱面部２７には下端寄りの位置に下方及び側方に開口された取付用凹部２７ｃが形成されている。【００８８】
配置面部２８は左右両端部が放熱面部２７より側方（外方）へ突出されている。配置面部２８の上面には光源ユニット２９が取り付けられている。光源ユニット２９は横長の基板３０と基板３０上に搭載された光源３１、３１、・・・とを有している。光源３１としては、例えば、発光ダイオード（ＬＥＤ: Light Emitting Diode）が用いられている。光源３１、３１、・・・は光学体２３における導光板２３ｄの真下に位置される。【００８９】
配置面部２８の左右両端部には下方に開口された図示しない位置決め凹部が形成されている。【００９０】
光源３１、３１、・・・から出射された光は導光板２３ｄによって導かれ反射シート２３ｅによって反射されて前方へ向かいディスプレイ２にバックライトとして入射される。このとき光源ユニット２９において発生する熱は放熱部材２６の主に放熱面部２７から放出され、光源ユニット２９の温度上昇が抑制される。【００９１】
基板３０の長手方向における一端部にはコネクター３２が接続されている。コネクター３２には図示しないフレキシブルプリント配線板が接続され、コネクター３２及びフレキシブルプリント配線板を介して基板３０に電源が供給される。【００９２】
基板３０の左右両端部における上面にはスペーサー３３、３３が取り付けられている。スペーサー３３、３３の上面は光源３１、３１、・・・の上面より稍上側に位置されている。【００９３】
放熱部材２６は放熱面部２７の軸挿通孔２７ａ、２７ａ、・・・にそれぞれバックシャーシ３に取り付けられた第２の取付板７の螺合軸７ａ、７ａ、・・・が挿入され、螺合軸７ａ、７ａ、・・・に環状の取付ネジ３４、３４、・・・が螺合されることによりバックシャーシ３に取り付けられる。【００９４】
放熱部材２６がバックシャーシ３に取り付けられた状態においては、バックシャーシ３の下面が放熱部材２６の受け突部２７ｂ、２７ｂに接し、バックシャーシ３が受け突部２７ｂ、２７ｂによって受けられる。【００９５】
従って、放熱部材２６が光源ユニット２９において発生する熱を放出する機能とバックシャーシ３の荷重を受ける機能との双方の機能を有するため、部品点数の削減による薄型化を図った上で良好な放熱性能とバックシャーシ３の安定した配置状態を確保することができる。【００９６】
また、放熱部材２６がバックシャーシ３に取り付けられた状態においては、光学体２３の左右両端部における下面がスペーサー３３、３３に接し、光学体２３がスペーサー３３、３３によって受けられる。従って、光学体２３の光源３１、３１、・・・との接触を防止することができると共に光学体２３の安定した配置状態を確保することができる。【００９７】
放熱部材２６の配置面部２８にはミドルシャーシ３５が取り付けられる（図１８Ａ、図１８Ｂ乃至図２０参照）。ミドルシャーシ３５は横長の形状に形成され、前後方向を向く基面部３６と基面部３６の下端部から後方へ突出された接合面部３７と基面部３６の前側に設けられた段差面部３８とを有している。【００９８】
接合面部３７の左右両端部にはそれぞれ上方へ突出された位置決めピン３７ａ、３７ａが設けられている。接合面部３７の左右両端部にはそれぞれ側方（外方）及び前後に開口された配置用切欠３７ｂ、３７ｂが形成されている。【００９９】
段差面部３８は上面が基面部３６の上面より下方に位置され、上面が受け面３８ａとして形成されている。【０１００】
ミドルシャーシ３５は位置決めピン３７ａ、３７ａがそれぞれ配置面部２８の位置決め凹部に挿入されて位置決めされ、接合面部３７が配置面部２８に接した状態で放熱部材２６に取り付けられる。【０１０１】
ミドルシャーシ３５が放熱部材２６に取り付けられた状態においては、基面部２６が光学体２３における下端部の前側に位置され、ディスプレイ２の下面が受け面３８ａに接し、ディスプレイ２が受け面３８ａによって受けられる。【０１０２】
放熱部材２６の下端部における後面には図示しない駆動回路基板が取り付けられ、駆動回路基板には図示しない接続配線板が接続される。駆動回路基板には接続配線板を介して電源が供給され、駆動回路基板によってディスプレイ２に対する表示制御が行われる。【０１０３】
放熱部材２６の下端部における後面には駆動回路基板と接続配線板を覆うシールド板３９が取り付けられる（図２１参照）。シールド板３９は横長の形状に形成され、前方に開口された箱状の覆い部４０と覆い部４０の上端部の前縁から上方へ突出された差し込み部４１とを有している。【０１０４】
覆い部４０の左右両端部における下面にはそれぞれ下方へ突出された位置決めピン４０ａ、４０ａ、・・・が設けられている。【０１０５】
シールド板３９は差し込み部４１が放熱部材２６の取付用凹部２７ｃに下方から差し込まれ、覆い部４０が駆動回路基板と接続配線板を覆った状態で放熱部材２６に取り付けられる。シールド板３９によって駆動回路基板、接続配線板及び光学ユニット２９の基板３０に対する電磁ノイズの遮蔽が行われる。【０１０６】
シールド板３９が放熱部材２６に取り付けられた状態において、ミドルシャーシ３５の配置用切欠３７ｂ、３７ｂはシールド板３９に覆われない状態とされている。ミドルシャーシ３５の配置用切欠３７ｂ、３７ｂにはそれぞれ保持枠１６の垂直部１８、１８に取り付けられた取付片部２１、２１が配置される。【０１０７】
取付片部２１、２１にはボトムフレーム４２が取り付けられる（図２２及び図２３参照）。ボトムフレーム４２は横長の形状に形成され、前後方向を向く前面部４３と前面部４３の下端部から後方へ突出された下面部４４とを有している。【０１０８】
下面部４４の左右両端部にはそれぞれネジ挿通孔４４ａ、４４ａが形成されている。下面部４４の左右両端部にはそれぞれ位置決め孔４４ｂ、４４ｂ、・・・が形成され、位置決め孔４４ｂ、４４ｂ、・・・はネジ挿通孔４４ａ、４４ａの後側に位置されている。【０１０９】
ボトムフレーム４２は位置決め孔４４ｂ、４４ｂ、・・・にそれぞれ位置決めピン４０ａ、４０ａ、・・・が挿入されてシールド板３９に対する位置決めが行われ、ネジ部材４５、４５がそれぞれネジ挿通孔４４ａ、４４ａを挿通されて取付片部２１、２１の螺孔２１ａ、２１ａに螺合されることにより保持体４に取り付けられる。【０１１０】
ボトムフレーム４２が保持体４に取り付けられた状態においては、ボトムフレーム４２によってミドルシャーシ３５とシールド板３９が下方から押さえられ、これらの各部材の安定した取付状態が確保されると共にミドルシャーシ３５の受け面３８ａに受けられたディスプレイ２の安定した配置状態が確保される。【０１１１】
また、ボトムフレーム４２が取付片部２１、２１に取り付けられた状態においては、ボトムフレーム４２によってディスプレイ２の下端部が前方から押さえられ、ディスプレイ２を安定した状態で配置することができる。【０１１２】
バックシャーシ３の下端部にはスタンド４６が取り付けられる（図１参照）。スタンド４６は台部４６ａと台部４６ａから上方へ突出された脚部４６ｂとを有している。スタンド４６は脚部４６ｂに形成された図示しない軸挿通孔に第１の取付板６の螺合軸６ａ、６ａ、・・・が前方から挿入され、螺合軸６ａ、６ａ、・・・に取付ネジ３４、３４、・・・が螺合されることによりバックシャーシ３に取り付けられる。【０１１３】
放熱部材２６及びシールド板３９の背面側にはリアカバー４７がネジ止め等によって取り付けられ、リアカバー４７によって放熱部材２６とシールド板３９が後方から覆われる。【０１１４】
［まとめ］
以上に記載した通り、表示装置１にあっては、保持体４に保持枠１６が設けられ、保持枠１６にディスプレイ２と直交する方向を向く平板部１７ａ、１８ａ、１８ａが設けられているため、表示装置１の外形が小さく小型化を図ることができる。【０１１５】
また、保持枠１６の平板部１７ａ、１８ａの内面に第１の結合部１７ｂ、１７ｂ、・・・、１８ｂ、１８ｂ、・・・が設けられ、平板部１７ａ、１８ａ、１８ａの内面に第２の結合部１９、２０、２０が設けられ、第１の結合部１７ｂ、１７ｂ、・・・、１８ｂ、１８ｂ、・・・とディスプレイ２に取り付けられた第１の部材５、５、・・・とが結合され、第２の結合部１９、２０、２０とバックシャーシ３に取り付けられた第２の部材８、９、９とが取り付けられている。【０１１６】
従って、保持枠１６の同一の面に設けられた第１の結合部１７ｂ、１７ｂ、・・・、１８ｂ、１８ｂ、・・・と第２の結合部１９、２０、２０を有する保持体４に第１の部材５、５、・・・及び第２の部材８、９、９を介してディスプレイ２とバックシャーシ３が保持されるため、表示装置１の前後方向における厚みが薄く、表示装置１の薄型化を図ることができる。【０１１７】
［本技術］
本技術は、以下のような構成にすることもできる。【０１１８】
（１）
表示面に画像が表示されるディスプレイと、
前記ディスプレイにおける表示面の反対の面側に配置されるバックシャーシと、
前記ディスプレイ及び前記バックシャーシの外周側に配置された保持体とを備え、
前記保持体は、前記ディスプレイと直交する方向を向く平板部と、前記平板部の厚み方向における一方の面に設けられた第１の結合部と、前記平板部の厚み方向における一方の面に設けられた第２の結合部とを有し、
前記ディスプレイにおける表示面の反対側の面の外周部に前記第１の結合部と結合される第１の部材が取り付けられ、
前記バックシャーシの外周部に前記第２の結合部と結合される第２の部材が取り付けられた
表示装置。【０１１９】
（２）
前記第２の部材が磁性材料によって形成され、
前記第２の結合部としてマグネットが用いられた
前記（１）に記載の表示装置。【０１２０】
（３）
前記第１の部材に結合用凹部が形成され、
前記第１の結合部が前記結合用凹部に挿入されて結合される突状に形成された
前記（１）又は前記（２）に記載の表示装置。【０１２１】
（４）
前記保持体の平板部と前記ディスプレイの外周部との間に前記ディスプレイの外周部に押し付けられるクッションが配置された
前記（１）から前記（３）の何れかに記載の表示装置。【０１２２】
（５）
前記バックシャーシとして平板状のガラスが用いられた
前記（１）から前記（４）の何れかに記載の表示装置。【０１２３】
（６）
前記保持体の少なくとも平板部がアルミニウムによって形成された
前記（１）から前記（５）の何れかに記載の表示装置。【０１２４】
（７）
前記ディスプレイに対してバックライトを照射する光源を有する光源ユニットと、
前記光源ユニットにおいて発生する熱を放出する放熱部材とが設けられ、
前記放熱部材に前記バックシャーシを受ける受け突部が設けられた
前記（１）から前記（６）の何れかに記載の表示装置。【０１２５】
（８）
前記ディスプレイと前記バックシャーシの間に光学シートを有する光学体が配置され、
前記第２の部材に挿入空間が形成され、
前記光学体が前記バックシャーシに対してスライドされ外周部が前記挿入空間に挿入されて前記ディスプレイとバックシャーシの間に配置された
前記（１）から前記（７）の何れかに記載の表示装置。【０１２６】
（９）
前記保持体に取り付けられるボトムフレームが設けられ、
前記ボトムフレームによって前記ディスプレイが押さえられるようにした
前記（１）から前記（８）の何れかに記載の表示装置。【０１２７】
上記した技術を実施するための最良の形態において示した各部の具体的な形状及び構造は、何れも本技術を実施する際の具体化のほんの一例を示したものにすぎず、これらによって本技術の技術的範囲が限定的に解釈されることがあってはならないものである。【０１２８】
本出願は、日本国特許庁において２０１２年１０月２９日に出願された日本特許出願番号２０１２−２３７８６３号を基礎として優先権を主張するものであり、この出願のすべての内容を参照によって本出願に援用する。【０１２９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014069267.tif 000003
【図２】
2014069267.tif 000004
【図３】
2014069267.tif 000005
【図４】
2014069267.tif 000006
【図５】
2014069267.tif 000007
【図６】
2014069267.tif 000008
【図７】
2014069267.tif 000009
【図８】
2014069267.tif 000010
【図９Ａ】
2014069267.tif 000011
【図９Ｂ】
2014069267.tif 000012
【図１０】
2014069267.tif 000013
【図１１】
2014069267.tif 000014
【図１２】
2014069267.tif 000015
【図１３】
2014069267.tif 000016
【図１４】
2014069267.tif 000017
【図１５】
2014069267.tif 000018
【図１６】
2014069267.tif 000019
【図１７】
2014069267.tif 000020
【図１８Ａ】
2014069267.tif 000021
【図１８Ｂ】
2014069267.tif 000022
【図１９】
2014069267.tif 000023
【図２０】
2014069267.tif 000024
【図２１】
2014069267.tif 000025
【図２２】
2014069267.tif 000026
【図２３】
2014069267.tif 000027
【国際調査報告】
2014069267.tif 000028
2014069267.tif 000029
2014069267.tif 000030
2014069267.tif 000031